(57)【要約】【課題】小型化しつつ色ずれを抑制したプロジェクタ装置を提供する。【解決手段】光源２からの光を色分離手段CSにより分光してＬＣＤパネル26r，26g，26bにより変調し、これら変調した色光のそれぞれを各投射レンズ鏡筒27r，27g，27bにてスクリーンに投射する。分光した色光を投射する前に合成するためのダイクロイックプリズムなどが必要ないため全体を小型化できる。照明光学系OS1と投射光学系OS2とを非テレセントリックとすることで、各色光の色収差の分、スクリーン上での像の大きさを調整することにより投射像の色ずれを抑制できる。【選択図】図１
2008076700.tif 000002
【特許請求の範囲】
【請求項１】
光源と、
この光源からの光を少なくとも複数の色光に分光する色分離手段と、
これら分光された色光に対応して複数設けられ、これら色光を変調させる光変調手段と、
前記分光された複数の色光に対応してそれぞれ設けられ、前記各光変調手段にて変調された各色光を前記投射面に投射する投射手段とを具備し、
前記光源から前記光変調手段までの照明光学系と、前記光変調手段から前記投射手段までの投射光学系とが、非テレセントリックである
ことを特徴としたプロジェクタ装置。
【請求項２】
各投射手段をそれぞれ光軸方向に移動させる移動手段を具備した
ことを特徴とした請求項１記載のプロジェクタ装置。
【請求項３】
各投射手段をそれぞれ光軸に交差する方向に移動させる調整手段を具備した
ことを特徴とした請求項１または２記載のプロジェクタ装置。
【発明の詳細な説明】
【技術分野】
【０００１】
本発明は、光変調手段にて変調された各色光を前記投射面に投射するプロジェクタ装置に関する。
【背景技術】
【０００２】
従来、プロジェクタ装置には、光源からの光を分離手段としての分光系である色分離手段にて例えば赤(Ｒ)、緑(Ｇ)、青(Ｂ)の三色の色光に分光し、これら分光された各色光に対応して光変調手段としての液晶パネルであるＬＣＤパネルが配置され、これらＬＣＤパネルにより変調された色光が、合成光学系としてのダイクロイックプリズムにより合成された後、投射手段としての１つの投射レンズにより投射面であるスクリーンへと投射されるように構成されている。
【０００３】
しかしながら、このようなプロジェクタ装置では、変調された各色光を合成する際に、ダイクロイックプリズムを用いており、また、色分離手段として、複数枚のダイクロイックミラーを用いている。そして、ダイクロイックプリズムは、４つのプリズムを接合して略直方体状としたものであるため、その大きさが比較的大きい。このため、装置全体の小型化が容易でないという問題を有している。
【０００４】
また、色分離手段を小型化できないため、明るいＦナンバーを得ることが容易でない。
【０００５】
そこで、ダイクロイックプリズムを用いることなく、分光された色光毎に投射レンズを用いてスクリーンに投射するプロジェクタ装置が知られている。このプロジェクタ装置では、各色光の光源からスクリーンまでの全光路の空間的な長さを実質的に同一としている（例えば、特許文献１参照。）。
【特許文献１】特開２００３−１０７５７８号公報（第５−７頁、図１−２）
【発明の開示】
【発明が解決しようとする課題】
【０００６】
しかしながら、上述のプロジェクタ装置のように各色光の全光路の空間的な長さを実質的に同一とする構成では、各色光の色収差により、例えば緑(Ｇ)の色光によるスクリーン上の投射像に対して、赤(Ｒ)の色光によるスクリーン上の投射像は拡がり、青(Ｂ)の色光によるスクリーン上の投射像は縮むため、いわゆる色ずれが生じるおそれがあるという問題点を有している。
【０００７】
本発明は、このような点に鑑みなされたもので、小型化しつつ投射像の色ずれを抑制したプロジェクタ装置を提供することを目的とする。
【課題を解決するための手段】
【０００８】
請求項１記載のプロジェクタ装置は、光源と、この光源からの光を少なくとも複数の色光に分光する色分離手段と、これら分光された色光に対応して複数設けられ、これら色光を変調させる光変調手段と、前記分光された複数の色光に対応してそれぞれ設けられ、前記各光変調手段にて変調された各色光を前記投射面に投射する投射手段とを具備し、前記光源から前記光変調手段までの照明光学系と、前記光変調手段から前記投射手段までの投射光学系とが、非テレセントリックであるものである。
【０００９】
そして、光源からの光を色分離手段により分光して光変調手段により変調し、これら変調された色光のそれぞれを各投射手段にて投射することにより、分光された色光を投射する前に合成するための色合成手段などが必要ないため全体が小型化され、かつ、光源から光変調手段までの照明光学系と、光変調手段から投射手段までの投射光学系とを非テレセントリックとすることで、各色光の色収差の分、投射面上での像の大きさを調整することにより投射像の色ずれが抑制される。
【００１０】
請求項２記載のプロジェクタ装置は、請求項１記載のプロジェクタ装置において、各投射手段をそれぞれ光軸方向に移動させる移動手段を具備したものである。
【００１１】
そして、各投射手段のそれぞれを移動手段によって光軸方向に移動可能とすることにより、投射面上での像の大きさが、より容易に調整される。
【００１２】
請求項３記載のプロジェクタ装置は、請求項１または２記載のプロジェクタ装置において、各投射手段をそれぞれ光軸に交差する方向に移動させる調整手段を具備したものである。
【００１３】
そして、各投射手段のそれぞれを調整手段によって光軸と交差する方向に移動可能とすることにより、投射面上での像の各色光間での画素ずれが、より容易に調整される。
【発明の効果】
【００１４】
本発明によれば、小型化しつつ投射像の色ずれを抑制できる。
【発明を実施するための最良の形態】
【００１５】
以下、本発明の第１の実施の形態のプロジェクタ装置の構成を図１及び図２を参照して説明する。
【００１６】
図１及び図２にプロジェクタ装置１を示し、このプロジェクタ装置１は、光源２と、この光源２から照射された光を変調して投射面としてのスクリーンＳ上に投射する光学系３とを備え、これら光源２と光学系３とが、図示しない筐体内に収容されている。
【００１７】
なお、以下、光源２からスクリーンＳに向かう光線の光軸Ｏに沿って、スクリーン側を前側、光源２側を後側とし、光軸Ｏの後側から前側に向かって左右方向をそれぞれ左右方向として説明する。
【００１８】
光源２は、点光源であるランプ５と、このランプ５からの光を内側面で反射する楕円状の反射ミラー６とを有している。
【００１９】
光学系３は、後側から順に、集光用のレンズ11と、インテグレータレンズ12，13と、偏光手段としての偏光ビームスプリッタ14と、コンデンサレンズ15と、分光体としてのダイクロイックミラー16，17と、ミラー18，19と、各色光に対応した変調投射光学系20r，20g，20bとを有している。
【００２０】
レンズ11は、例えば光軸方向後側が凹面状に形成された平凹レンズである。
【００２１】
インテグレータレンズ12，13は、光源２から照射されレンズ11を経由した光の照度を均一化するものである。
【００２２】
偏光ビームスプリッタ14は、インテグレータレンズ13を経由した光を、Ｐ偏光あるいはＳ偏光のいずれか一方の偏光光とするものである。
【００２３】
コンデンサレンズ15は、光源から出射される光を収束させるものであり、例えば光軸方向後側の面が凸面状に形成された平凸レンズである。
【００２４】
そして、これらレンズ11、インテグレータレンズ12，13、偏光ビームスプリッタ14及びコンデンサレンズ15は、光軸Ｏに沿って略一直線上に配設されている。
【００２５】
また、ダイクロイックミラー16は、例えばコンデンサレンズ15を経由した光のうち、赤(Ｒ)の色光のみを、９０°交差する方向すなわち直交方向へと反射させ、他の色光を透過させるもので、コンデンサレンズ15などの光軸Ｏに対して例えば４５°傾斜して交差するように配設されている。
【００２６】
ダイクロイックミラー17は、例えばコンデンサレンズ15を経由した光のうち、青(Ｂ)の色光のみを、ダイクロイックミラー16による赤(Ｒ)の色光の反射方向と反対方向へと反射させ、他の色光を透過させるもので、ダイクロイックミラー16に対して略直交するように配置されている。したがって、これらダイクロイックミラー16，17により、コンデンサレンズ15を経由した光が、赤(Ｒ)、緑(Ｇ)及び青(Ｂ)の各色光に分光する色分離手段CSが構成されている。
【００２７】
ミラー18は、ダイクロイックミラー16により反射された赤(Ｒ)の色光を変調投射光学系20rへと反射させるもので、ダイクロイックミラー16に対して略平行となるように配設されている。
【００２８】
ミラー19は、ダイクロイックミラー17により反射された青(Ｂ)の色光を変調投射光学系20gへと反射させるもので、ダイクロイックミラー17に対して略平行となるように配設されている。
【００２９】
変調投射光学系20rは、集光用のレンズ25rと、偏光板P1rと、光変調手段としての赤(Ｒ)用のＬＣＤパネル26rと、偏光板P2rと、投射手段としての直管型の投射レンズ鏡筒27rとを備え、これらが光軸Ｏに沿って略一直線上に配設されている。
【００３０】
レンズ25rは、例えば光軸方向後側の面が凸面状に形成された平凸レンズである。
【００３１】
ＬＣＤパネル26rは、ダイクロイックミラー16，17により分光された赤(Ｒ)の色光を、図示しない制御回路などから送信された画像信号に対応して変調するものである。
【００３２】
投射レンズ鏡筒27rは、図１に示す左右方向に光軸方向を沿わせて配設されている。また、この投射レンズ鏡筒27rには、この投射レンズ鏡筒27rを光軸方向前後へと移動させる移動手段としての微調整機構28rと、この投射レンズ鏡筒27rを光軸Ｏと交差、例えば直交する方向へと移動させる調整手段としての調整機構29rとが設けられている。
【００３３】
ここで、微調整機構28r及び調整機構29rは、例えば図示しないギア列などにより構成され、投射レンズ鏡筒27rの位置を筐体の外部などから微調整可能となっている。
【００３４】
同様に、変調投射光学系20gは、集光用のレンズ25gと、偏光板P1gと、光変調手段としての緑(Ｇ)用のＬＣＤパネル26gと、偏光板P2gと、投射手段としての直管型の投射レンズ鏡筒27gとを備え、これらが光軸Ｏに沿って略一直線上に配設されている。
【００３５】
レンズ25gは、例えば光軸方向後側の面が凸面状に形成された平凸レンズである。
【００３６】
ＬＣＤパネル26gは、ダイクロイックミラー16，17を透過した緑(Ｇ)の色光を、図示しない制御回路などから送信された画像信号に対応して変調するものである。
【００３７】
投射レンズ鏡筒27gは、図１に示す左右方向に光軸方向を沿わせて配設されている。また、この投射レンズ鏡筒27gには、この投射レンズ鏡筒27gを光軸方向前後へと移動させる移動手段としての微調整機構28gと、投射レンズ鏡筒27gを光軸Ｏと交差、例えば直交する方向へと移動させる調整手段としての調整機構29gとが設けられている。これら微調整機構28g及び調整機構29gは、例えば図示しないギア列などにより構成され、投射レンズ鏡筒27gの位置を筐体の外部などから微調整可能となっている。
【００３８】
また、変調投射光学系20bは、集光用のレンズ25bと、偏光板P1bと、光変調手段としての青(Ｂ)用のＬＣＤパネル26bと、偏光板P2bと、投射手段としての直管型の投射レンズ鏡筒27bとを備え、これらが光軸Ｏに沿って略一直線上に配設されている。
【００３９】
レンズ25bは、例えば光軸方向後側の面が凸面状に形成された平凸レンズである。
【００４０】
ＬＣＤパネル26bは、ダイクロイックミラー16，17により分光された青(Ｂ)の色光を、図示しない制御回路などから送信された画像信号に対応して変調するものである。
【００４１】
投射レンズ鏡筒27bは、図１に示す左右方向に光軸方向を沿わせて配設されている。また、この投射レンズ鏡筒27bには、この投射レンズ鏡筒27bを光軸方向前後へと移動させる移動手段としての微調整機構28bと、投射レンズ鏡筒27bを光軸Ｏと交差、例えば直交する方向へと移動させる調整手段としての調整機構29bとが設けられている。これら微調整機構28b及び調整機構29bは、例えば図示しないギア列などにより構成され、投射レンズ鏡筒27bの位置を筐体の外部などから微調整可能となっている。
【００４２】
さらに、これら変調投射光学系20r，20g，20bは、互いに略平行に、スクリーンＳに先端側を向けて配設されている。
【００４３】
そして、光源２から、集光用のレンズ11、インテグレータレンズ12，13、偏光ビームスプリッタ14、コンデンサレンズ15、ダイクロイックミラー16，17、ミラー18，19、レンズ25r，25g，25b及び偏光板P1r，P1g，P1bを経由して、ＬＣＤパネル26r，26g，26bの一部である後面すなわち入射面までが、照明光学系OS1となるとともに、ＬＣＤパネル26r，26g，26bの他部である前面すなわち出射面から、偏光板P2r，P2g，P2b及び投射レンズ鏡筒27r，27g，27bまでが投射光学系OS2となり、これら照明光学系OS1と投射光学系OS2とは、非テレセントリックとなるように、換言すれば、スクリーンＳへと投射された投射像Ir，Ig，Ibの大きさを変化させることが可能となるように構成されている。
【００４４】
次に、上記第１の実施の形態の動作を説明する。
【００４５】
光源２のランプ５から照射された光は、反射ミラー６により反射され、この反射された光は、レンズ11、インテグレータレンズ12，13、偏光ビームスプリッタ14、コンデンサレンズ15を順次通過し、ダイクロイックミラー16，17を介して赤(Ｒ)、緑(Ｇ)、青(Ｂ)の各色光に分離される。
【００４６】
そして、赤(Ｒ)の色光は、ダイクロイックミラー16及びミラー18により反射された後、レンズ25r、偏光板P1rを通過し、ＬＣＤパネル26rにより所定の画像信号に対応して変調され、偏光板P2rを通過して、投射レンズ鏡筒27rから投射像IrとしてスクリーンＳへと投射される。
【００４７】
同様に、緑(Ｇ)の色光は、ダイクロイックミラー16，17を通過した後、レンズ25g、偏光板P1gを通過し、ＬＣＤパネル26gにより所定の画像信号に対応して変調され、偏光板P2gを通過して、投射レンズ鏡筒27gから投射像IgとしてスクリーンＳへと投射される。
【００４８】
また、青(Ｂ)の色光は、ダイクロイックミラー17及びミラー19により反射された後、レンズ25b、偏光板P1bを通過し、ＬＣＤパネル26bにより所定の画像信号に対応して変調され、偏光板P2bを通過して、投射レンズ鏡筒27bから投射像IbとしてスクリーンＳへと投射される。
【００４９】
スクリーンＳ上の投射像は、各投射像Ir，Ig，Ibが合成された像として形成される。このとき、各色光に対する光学系３の色収差により各投射像Ir，Ig，Ibの大きさがばらつくと、各微調整機構28r，28g，28bにより各投射レンズ鏡筒27r，27g，27bを光軸Ｏに沿って若干移動させることで、各投射レンズ鏡筒27r，27g，27bのスクリーンＳに対する距離を可変させ、各投射像Ir，Ig，Ibの大きさを適宜調整し、適切な投射像が得られるようにする。
【００５０】
また、各投射像Ir，Ig，IbにスクリーンＳ上で画素ずれが生じる場合には、調整機構29r，29g，29bにより各投射レンズ鏡筒27r，27g，27bを光軸Ｏに直交する方向に若干移動させることで、上記画素ずれを解消する。
【００５１】
上述したように、上記第１の実施の形態によれば、光源２からの光を色分離手段CSのダイクロイックミラー16，17により分光してＬＣＤパネル26r，26g，26bにより変調し、これら変調された色光のそれぞれを各投射レンズ鏡筒27r，27g，27bにて投射することにより、分光された色光を投射する前に合成するための例えばダイクロイックプリズムなどの色合成手段などが必要ないとともに、色分離手段CSを簡素化することが可能になるため、各投射レンズ鏡筒27r，27g，27bを小型のものとすることで、プロジェクタ装置１の全体を小型化できる。また、照明光学系OS1と投射光学系OS2とを非テレセントリックとすることで、スクリーンＳ上において、光学系３での各色光の色収差により、緑(Ｇ)の色光による投射像に対して拡がる赤(Ｒ)の色光による投射像の大きさ、あるいは、緑(Ｇ)の色光による投射像に対して縮む青(Ｂ)の色光による投射像の大きさを調整でき、この調整により、スクリーンＳ上の投射像の色ずれを抑制できる。この結果、上記プロジェクタ装置１を小型化しつつ、投射像の色ずれを抑制できる。
【００５２】
具体的には、各投射レンズ鏡筒27r，27g，27bを、微調整機構28r，28g，28bにより光軸方向に沿って移動させることにより、各投射レンズ鏡筒27r，27g，27bとスクリーンＳとの距離を可変させて、スクリーンＳ上の投射像Ir，Ig，Ibの大きさを容易に調整できるとともに、各投射レンズ鏡筒27r，27g，27bを、調整機構29r，29g，29bにより光軸Ｏに直交する方向に移動させることにより、スクリーンＳ上の投射像Ir，Ig，Ibの画素ずれを容易に調整できる。
【００５３】
また、高精度が要求され比較的高価なダイクロイックプリズムを使用しないで済むため、ダイクロイックプリズムでの不正な反射などのおそれもなく、プロジェクタ装置１の投射像の精度を確保しつつ、コストを抑制できる。
【００５４】
さらに、従来のプロジェクタ装置では、投射レンズ鏡筒の光軸方向後側にダイクロイックプリズムを配設するため、投射レンズ鏡筒のバックフォーカスを長く取る必要があったのに対して、本実施の形態では、ダイクロイックプリズムが必要なく、投射レンズ鏡筒のバックフォーカスを短くすることが可能になるので、プロジェクタ装置１を、より小型化できる。
【００５５】
そして、色分離手段CSとしては、コンデンサレンズ15と各ＬＣＤパネル26r，26g，26bとの間の距離を短くできるので、明るいＦナンバーを得ることができる。
【００５６】
次に、第２の実施の形態を図３を参照して説明する。なお、上記第１の実施の形態と同様の構成及び作用については、同一符号を付してその説明を省略する。
【００５７】
この第２の実施の形態は、上記第１の実施の形態において、各色光に対応した変調投射光学系20r，20g，20bに代えて、変調投射光学系30r，30g，30bを設けたものである。
【００５８】
変調投射光学系30rは、ダイクロイックミラー16で反射された赤(Ｒ)の色光が通過する偏光板P1r、ＬＣＤパネル26r及び偏光板P2rを備えるとともに、直管型の投射レンズ鏡筒31rと、この投射レンズ鏡筒31rを通過した光をスクリーンＳへと反射させるミラー32rとにより投射手段33rが構成され、この投射手段33rが、移動手段としての微調整機構34rにより光軸方向へと移動可能となっているとともに、調整手段としての調整機構35rにより光軸Ｏと交差、例えば直交する方向へと移動可能となっている。
【００５９】
すなわち、偏光板P1r、ＬＣＤパネル26r、偏光板P2r及び投射レンズ鏡筒31rは、ダイクロイックミラー16による赤(Ｒ)の色光の反射方向である図３に示す上下方向に光軸Ｏが沿うように略直線状に順次配設され、ミラー32rが、ダイクロイックミラー16に対して平行に配設されている。このため、投射手段33rは、入力された光を例えば９０°交差する方向へと出力する屈曲型に構成されている。
【００６０】
また、微調整機構34r及び調整機構35rは、例えば図示しないギア列などにより構成され、投射手段33rの位置を筐体の外部などから微調整可能となっている。
【００６１】
一方、変調投射光学系30gは、上記第１の実施の形態の変調投射光学系20gのレンズ25rが省略されたものである。
【００６２】
さらに、変調投射光学系30bは、変調投射光学系30rと同様に、ダイクロイックミラー17で反射された青(Ｂ)の色光が通過する偏光板P1b、ＬＣＤパネル26b及び偏光板P2bを備えるとともに、直管型の投射レンズ鏡筒31bと、この投射レンズ鏡筒31bを通過した光をスクリーンＳへと反射させるミラー32bとにより投射手段33bが構成され、この投射手段33bが、移動手段としての微調整機構34bにより光軸方向へと移動可能となっているとともに、調整手段としての調整機構35bにより光軸Ｏと交差、例えば直交する方向へと移動可能となっている。
【００６３】
すなわち、偏光板P1b、ＬＣＤパネル26b、偏光板P2b及び投射レンズ鏡筒31bは、ダイクロイックミラー17による青(Ｂ)の色光の反射方向である図３に示す上下方向に光軸Ｏが沿うように略直線状に順次配設され、ミラー32bが、ダイクロイックミラー17に対して平行に配設されている。換言すれば、変調投射光学系30bは、変調投射光学系30gについて、変調投射光学系30rと対称的に設けられている。このため、投射手段33bは、入力された光を例えば９０°交差する方向へと出力する屈曲型に構成されている。
【００６４】
さらに、微調整機構34b及び調整機構35bは、例えば図示しないギア列などにより構成され、投射手段33bの位置を筐体の外部などから微調整可能となっている。
【００６５】
そして、照明光学系OS1は、光源２から、集光用のレンズ11、インテグレータレンズ12，13、偏光ビームスプリッタ14、コンデンサレンズ15、ダイクロイックミラー16，17、ミラー18，19及び偏光板P1r，P1g，P1bを経由して、ＬＣＤパネル26r，26g，26bの入射面までで構成されている。
【００６６】
また、投射光学系OS2は、ＬＣＤパネル26r，26g，26bの出射面から、偏光板P2r，P2g，P2b、及び、投射手段33r、投射レンズ鏡筒27r、投射手段33bまでで構成されている。
【００６７】
そして、ＬＣＤパネル26r，26g，26bにより変調された各色光を投射手段33r、投射レンズ鏡筒27g及び投射手段33bによりスクリーンＳに投射し、かつ、投射手段33r、投射レンズ鏡筒27g及び投射手段33bを微調整機構34r，28g，34b及び調整機構35r，29g，35bにより移動可能とするなど、上記第１の実施の形態と同様の構成を有することにより、上記第１の実施の形態と同様の作用効果を奏することができる。
【００６８】
また、変調投射光学系30r，30g，30bを、変調投射光学系20r，20g，20bのレンズ25r，25g，25bを配設しないで構成するので、これら変調投射光学系30r，30g，30bを簡素化でき、プロジェクタ装置１の小型化、コストの抑制及びなどが可能になる。
【００６９】
次に、第３の実施の形態を図４を参照して説明する。なお、上記各実施の形態と同様の構成及び作用については、同一符号を付してその説明を省略する。
【００７０】
この第３の実施の形態は、上記第２の実施の形態において、赤(Ｒ)及び青(Ｂ)の色光に対応した変調投射光学系30r，30bに代えて、変調投射光学系40r，40bを設けたものである。
【００７１】
変調投射光学系40rは、上記第２の実施の形態の変調投射光学系30rにおいて、ミラー32rに代えて、偏光板P2rと投射レンズ鏡筒31rとの間に、集光用のレンズ41rと、反射用のミラー42rとが配設され、このミラー42rと投射レンズ鏡筒31rとにより、投射手段43rが構成され、この投射手段43rが、移動手段としての微調整機構44rにより光軸方向へと移動可能となっているとともに、調整手段としての調整機構45rにより光軸Ｏと交差、例えば直交する方向へと移動可能となっている。
【００７２】
レンズ41rは、光軸方向前側が凸面状に形成された平凸レンズであり、偏光板P1r、ＬＣＤパネル26r及び偏光板P2rと略同一直線上に配設されている。
【００７３】
ミラー42rは、レンズ41rを通過した光を、このレンズ41rの光軸方向に対して例えば直交する方向へと反射させるもので、ダイクロイックミラー16と略平行に配設されている。
【００７４】
そして、投射レンズ鏡筒31rは、投射レンズ鏡筒27gに対して略平行となるように、すなわち図４に示す左右方向に沿って配設されている。
【００７５】
このため、投射手段43rは、入力された光を例えば９０°交差する方向へと出力する屈曲型に構成されている。
【００７６】
微調整機構44r及び調整機構45rは、例えば図示しないギア列などにより構成され、投射手段43rの位置を筐体の外部などから微調整可能となっている。
【００７７】
また、変調投射光学系40bは、上記第２の実施の形態の変調投射光学系30bにおいて、ミラー32bに代えて、偏光板P2bと投射レンズ鏡筒31bとの間に、光の拡散用のレンズ41bと、反射用のミラー42bとが配設され、このミラー42bと投射レンズ鏡筒31bとにより、投射手段43bが構成され、この投射手段43bが、移動手段としての微調整機構44bにより光軸方向へと移動可能となっているとともに、調整手段としての調整機構45bにより光軸Ｏと交差、例えば直交する方向へと移動可能となっている。
【００７８】
レンズ41bは、光軸方向前側が凸面状に形成された平凸レンズであり、偏光板P1b、ＬＣＤパネル26b及び偏光板P2bと略同一直線上に配設されている。
【００７９】
ミラー42bは、レンズ41bを通過した光を、このレンズ41bの光軸方向に対して例えば直交する方向へと反射させるもので、ダイクロイックミラー17と略平行に配設されている。
【００８０】
そして、投射レンズ鏡筒31bは、投射レンズ鏡筒27g，31rに対して略平行となるように、すなわち図４に示す左右方向に沿って配設されている。
【００８１】
このため、投射手段43bは、入力された光を例えば９０°交差する方向へと出力する屈曲型に構成されている。
【００８２】
微調整機構44b及び調整機構45bは、例えば図示しないギア列などにより構成され、投射手段43bの位置を筐体の外部などから微調整可能となっている。
【００８３】
また、照明光学系OS1は、上記第２の実施の形態と同様である。さらに、投射光学系OS2は、ＬＣＤパネル26r，26g，26bの出射面から、偏光板P2r，P2g，P2b、及び、投射手段43r、投射レンズ鏡筒27r、投射手段43bまでで構成されている。
【００８４】
そして、ＬＣＤパネル26r，26g，26bにより変調された各色光を投射手段43r、投射レンズ鏡筒27g及び投射手段43bによりスクリーンＳに投射し、かつ、投射手段43r、投射レンズ鏡筒27g及び投射手段43bを微調整機構44r，28g，44b及び調整機構45r，29g，45bにより移動可能とするなど、上記各実施の形態と同様の構成を有することにより、上記各実施の形態と同様の作用効果を奏することができる。
【００８５】
次に、第４の実施の形態を図５を参照して説明する。なお、上記各実施の形態と同様の構成及び作用については、同一符号を付してその説明を省略する。
【００８６】
この第４の実施の形態は、上記第１の実施の形態の色分離手段CSが、ダイクロイックミラー16，17に代えて、分光体としてのダイクロイックミラー51，52，53を備えているものである。
【００８７】
ダイクロイックミラー51は、コンデンサレンズ15を通過した光のうち、例えば赤(Ｒ)の色光のみを直交方向に反射させ、他の色光を透過させるもので、コンデンサレンズ15などの光軸Ｏに対して例えば４５°傾斜して交差するように配設されている。
【００８８】
ダイクロイックミラー52は、ダイクロイックミラー51を通過した光のうち、例えば緑(Ｇ)の色光のみを直交方向に反射させ、青(Ｂ)の色光を透過させるもので、ダイクロイックミラー51に対して略平行に配設されている。
【００８９】
ダイクロイックミラー53は、ダイクロイックミラー52を通過した光である青(Ｂ)の色光を直交方向に反射させるもので、ダイクロイックミラー51，52に対して略平行に配設されている。
【００９０】
また、これらダイクロイックミラー51，52，53は、図５に示す上下方向に互いに略等間隔に離間されて順次配設されている。
【００９１】
さらに、照明光学系OS1は、光源２から、レンズ11、インテグレータレンズ12，13、偏光ビームスプリッタ14、コンデンサレンズ15、ダイクロイックミラー51，52，53、レンズ25r，25g，25b及び偏光板P1r，P1g，P1bを経由して、ＬＣＤパネル26r，26g，26bの入射面までで構成されている。また、投射光学系OS2は、上記第１の実施の形態と同様である。
【００９２】
そして、ＬＣＤパネル26r，26g，26bにより変調された各色光を投射手段43r、投射レンズ鏡筒27g及び投射手段43bによりスクリーンＳに投射し、かつ、投射手段43r、投射レンズ鏡筒27g及び投射手段43bを微調整機構44r，28g，44b及び調整機構45r，29g，45bにより移動可能とするなど、上記各実施の形態と同様の構成を有することにより、上記各実施の形態と同様の作用効果を奏することができる。
【００９３】
また、光軸方向に順次配設したダイクロイックミラー51，52，53にて色分離手段CSを構成することで、この色分離手段CSを、より簡素化でき、プロジェクタ装置１の小型化、コストの抑制及びなどが可能になる。
【００９４】
なお、上記各実施の形態において、赤(Ｒ)、緑(Ｇ)及び青(Ｂ)の各色光に対応する構成を互いに任意に入れ換えた構成としても、同様の作用効果を奏することができるのはいうまでもない。
【００９５】
また、光源２から色分離手段CSに至る光学系、あるいは色分離手段CSなど、プロジェクタ装置１の細部は、上記各構成に限定されるものではない。
【図面の簡単な説明】
【００９６】
【図１】本発明の第１の実施の形態のプロジェクタ装置を示す説明図である。
【図２】同上プロジェクタ装置の投射面への投射状態を示す説明図である。
【図３】本発明の第２の実施の形態のプロジェクタ装置を示す説明図である。
【図４】本発明の第３の実施の形態のプロジェクタ装置を示す説明図である。
【図５】本発明の第４の実施の形態のプロジェクタ装置を示す説明図である。
【符号の説明】
【００９７】
１    プロジェクタ装置
２    光源
26b，26g，26r    光変調手段としてのＬＣＤパネル
27b，27g，27r    投射手段としての投射レンズ鏡筒
28b，28g，28r，34r，34b，44r，44b    移動手段としての微調整機構
29b，29g，29r，35r，35b，45r，45b    調整手段としての調整機構
33b，33r，43b，43r    投射手段
CS    色分離手段
Ｏ    光軸
OS1   照明光学系
OS2   投射光学系
Ｓ    投射面としてのスクリーン
【図１】
2008076700.tif 000003
【図２】
2008076700.tif 000004
【図３】
2008076700.tif 000005
【図４】
2008076700.tif 000006
【図５】
2008076700.tif 000007